(57)【特許請求の範囲】
【請求項１】
運転員により操作可能な操作部及び表示部を有する運転コンソールと、
当直長により操作可能な操作部及び表示部を有する運転指令コンソールと、
前記運転コンソールの表示部に表示された画像を前記運転指令コンソールの表示部に表示可能な伝送装置と、
前記運転指令コンソールの表示部の画像を前記伝送装置により伝送される前記運転コンソールの表示部の画像に切り替える切替装置と、
を備え、
前記運転コンソールは、複数の表示部を有し、前記切替装置は、前記複数の表示部の中から選択されたものを前記運転指令コンソールの表示部に表示し、
前記運転コンソールの各表示部は、画像が前記運転指令コンソールの表示部に表示されたときに点灯する表示ランプを有する、
ことを特徴とする原子力プラントの運転監視装置。
【請求項２】
前記運転指令コンソールは、前記切替装置を操作する操作スイッチを有することを特徴とする請求項１に記載の原子力プラントの運転監視装置。
【請求項３】
前記運転指令コンソールは、表示部に表示した前記運転コンソールにおける表示部の名称を表示可能な補助表示部を有することを特徴とする請求項１または２に記載の原子力プラントの運転監視装置。
【発明の詳細な説明】
【技術分野】
【０００１】
本発明は、安全系と常用系（非安全系）とを運転操作可能な原子力プラントの運転監視装置に関する。
【背景技術】
【０００２】
原子力発電プラントを安定して運転するためには、高い信頼性と容易に操作可能な計装制御システムが必要である。このような計装制御システムの実現のため、ソフトオペレーションタイプの中央制御盤の適用、制御系及び安全系設備のデジタル化が進められている。原子力発電プラントにおける計装制御システムは、運転員がプラントの運転監視を行う中央制御盤が設けられ、この中央制御盤に対してこれを運転監視する複数の運転員が配置され、この複数の運転員の後方に当直長が配置されている。そして、各運転員は、当直長から各種の指揮、指示のもとで、確実な監視、操作を行うことで、原子力プラントの安全な運転を確保している。
【０００３】
なお、原子力プラントの運転監視装置としては、下記特許文献１に記載されたものがある。
【先行技術文献】
【特許文献】
【０００４】
【特許文献１】特開平０７−０８７５７９号公報
【発明の概要】
【発明が解決しようとする課題】
【０００５】
従来より、当直長と各運転員との意思疎通は、原則として口頭による指示、運転員による指差呼称であるが、特にハードウェア器具から構成される在来型の中央制御盤を用いてプラント運転操作を行う場合には、当直長は、自席においても、後ろから見える運転員の立ち位置や手の動きなどにより、その操作内容をおおよそ把握することも可能である。
【０００６】
原子力発電プラントの計装制御システムにて、制御系及び保護系設備のデジタル化が図られた場合、当直長や運転員は、中央制御盤を用いた座位によるタッチオペレーションによる監視、操作が主体となる。すると、当直長と各運転員との意思疎通は、口頭による指示、運転員による指差呼称だけとなり、当直長は、自席において、後ろから見える運転員の位置は変わらず、運転員が何を操作していても監視操作画面をタッチしているのみに見えるため、運転員が実際に何の操作を行っているのかを視覚的に把握することが困難となる。
【０００７】
本発明は上述した課題を解決するものであり、原子力プラントにおける運転操作における当直長と運転員の意思疎通を改善して運転監視の高い安全性を確保可能とする原子力プラントの運転監視装置を提供することを目的とする。
【課題を解決するための手段】
【０００８】
上記の目的を達成するための本発明の原子力プラントの運転監視装置は、運転員により操作可能な操作部及び表示部を有する運転コンソールと、当直長により操作可能な操作部及び表示部を有する運転指令コンソールと、前記運転コンソールの表示部に表示された画像を前記運転指令コンソールの表示部に表示可能な伝送装置と、前記運転指令コンソールの表示部の画像を前記伝送装置により伝送される前記運転コンソールの表示部の画像に切り替える切替装置と、を備えることを特徴とするものである。
【０００９】
従って、当直長は、必要に応じて運転指令コンソールの表示部に運転コンソールの表示部に表示された画像を表示することで、運転員による操作を確認することができ、原子力プラントにおける運転操作における当直長と運転員の意思疎通を改善し、運転監視の高い安全性を確保可能とすることができる。
【００１０】
本発明の原子力プラントの運転監視装置では、前記運転指令コンソールは、前記切替装置を操作する操作スイッチを有することを特徴としている。
【００１１】
従って、当直長は、操作スイッチにより切替装置を操作することで、容易に運転指令コンソールの表示部に運転コンソールの表示部の画像を表示することができる。
【００１２】
本発明の原子力プラントの運転監視装置では、前記運転コンソールは、複数の表示部を有し、前記切替装置は、前記複数の表示部の中から選択されたものを前記運転指令コンソールの表示部に表示することを特徴としている。
【００１３】
従って、当直長は、操作スイッチにより切替装置を操作することで、運転コンソールにおける必要な表示部の画像を運転指令コンソールの表示部に容易に表示することができる。
【００１４】
本発明の原子力プラントの運転監視装置では、前記運転指令コンソールは、表示部に表示した前記運転コンソールにおける表示部の名称を表示可能な補助表示部を有することを特徴としている。
【００１５】
従って、運転指令コンソールにおける補助表示部に、現在表示している運転コンソールにおける表示部の名称を表示することで、視認性を向上することができる。
【００１６】
本発明の原子力プラントの運転監視装置では、前記運転コンソールの各表示部は、画像が前記運転指令コンソールの表示部に表示されたときに点灯する表示ランプを有することを特徴としている。
【００１７】
従って、運転指令コンソールの表示部に運転コンソールの表示部の画像が表示されたとき、表示されている表示部の表示ランプが点灯することとなり、視認性を向上することができる。
【発明の効果】
【００１８】
本発明の原子力プラントの運転監視装置によれば、当直長が操作する運転指令コンソールの表示部に、運転員が操作する運転コンソールの表示部の画像を表示可能とするので、当直長は、必要に応じて運転コンソールの表示部により、運転員による操作を確認することができ、原子力プラントにおける運転操作における当直長と運転員の意思疎通を改善し、運転監視の高い安全性を確保可能とすることができる。
【図面の簡単な説明】
【００１９】
【図１】図１は、本発明の一実施例に係る原子力プラントの運転監視装置における制御ブロックを表す概略図である。
【図２】図２は、本実施例の原子力プラントの運転監視装置における中央制御室を表す概略図である。
【図３】図３は、本実施例の原子力プラントの運転監視装置における機能統合ＶＤＵ及び安全系ＶＤＵを表す概略図である。
【発明を実施するための形態】
【００２０】
以下に添付図面を参照して、本発明に係る原子力プラントの運転監視装置の好適な実施例を詳細に説明する。なお、この実施例により本発明が限定されるものではない。
【実施例】
【００２１】
図１は、本発明の一実施例に係る原子力プラントの運転監視装置における制御ブロックを表す概略図、図２は、本実施例の原子力プラントの運転監視装置における中央制御室を表す概略図、図３は、本実施例の原子力プラントの運転監視装置における機能統合ＶＤＵ及び安全系ＶＤＵを表す概略図である。
【００２２】
本実施例の原子力プラントの運転監視装置において、図２及び図３に示すように、中央制御室１１は、ほぼ密閉された部屋であり、第１運転コンソール１２、第２運転コンソール１３、運転指令コンソール１４、大型表示盤１５が配置されている。この場合、最前部に大型表示盤１５が配置され、この大型表示盤１５の前面に対向して第１運転コンソール１２がこの大型表示盤１５に向って配置されている。また、第１運転コンソール１２に隣接して、中央制御室１１の壁面に第２運転コンソール１３が配置されている。そして、大型表示盤１５の前面に対向し、且つ、第１運転コンソール１２の後方に運転指令コンソール１４が大型表示盤１５に向って配置されている。
【００２３】
即ち、中央制御室１１は、その中央に第１運転コンソール１２及び運転指令コンソール１４が配置され、第１運転コンソール１２に隣接して中央制御室１１の壁面近傍に第２運転コンソール１３が配置されている。具体的に、運転指令コンソール１４は、中央制御室１１の中央部に描かれる円のほぼ中心部に配置され、第１運転コンソール１２は、その円における大型表示盤１５側に円弧をなすように配置されている。第２運転コンソール１３は、この円の外側に、中央制御室１１の壁面に密着して配置されている。
【００２４】
そして、第１運転コンソール１２は、機能統合ＶＤＵ（機能統合操作装置）２１が搭載され、第２運転コンソール１３は、安全系ＶＤＵ（安全系操作装置）２２が搭載されている。この機能統合ＶＤＵ２１は、常用系設備の監視操作機能と、安全系設備の監視操作機能を有している。一方、安全系ＶＤＵ２２は、機能統合ＶＤＵ２１における安全系設備の監視操作機能のバックアップ用のＶＤＵであり、プラントの異常時にこのプラントを安全に停止させる安全系設備の監視操作機能を有している。なお、ＶＤＵとは、Ｖｉｓｕａｌ  Ｄｉｓｐｌａｙ  Ｕｎｉｔである。
【００２５】
また、第１運転コンソール１２（機能統合ＶＤＵ２１）及び第２運転コンソール１３（安全系ＶＤＵ２２）は、運転員が操作するものである。一方、運転指令コンソール１４は、運転員に指令を出す当直長が操作するものであり、管理用ＶＤＵ２３が搭載されている。本実施例では、運転指令コンソール１４は、監督指令コンソール１４ａ（監督用ＶＤＵ２３ａ）と、技術指令コンソール１４ｂ（技術者用ＶＤＵ２３ｂ）とから構成されている。
【００２６】
このように構成された本実施例の原子力プラントの運転監視装置における中央制御室１１にて、図１に示すように、大型表示盤１５に対向して第１運転コンソール１２が配置され、この第１運転コンソール１２の後方に運転指令コンソール１４が配置されている。この場合、第１運転コンソール１２は、機能統合ＶＤＵ２１を有し、この機能統合ＶＤＵ２１は、タッチオペレーションによる監視、操作が可能なものであり、表示部と操作部が一体となっている。また、運転指令コンソール１４は、管理用ＶＤＵ２３を有し、この管理用ＶＤＵ２３は、タッチオペレーションによる監視が可能なものである。
【００２７】
機能統合ＶＤＵ２１は、複数（本実施例では、７個）のディスプレイ３１〜３７を有し、運転員のタッチオペレーションによる監視、操作が可能となっている。管理用ＶＤＵ２３は、複数（本実施例では、４個）のディスプレイ４１〜４４を有し、当直長のタッチオペレーションによる監視が可能となっている。この機能統合ＶＤＵ２１（ディスプレイ３１〜３７）と管理用ＶＤＵ２３（ディスプレイ４１〜４４）は、伝送装置５１及びケーブル５２，５３により接続されており、機能統合ＶＤＵ２１のディスプレイ３１〜３７に表示された画像を管理用ＶＤＵ２３のディスプレイ４１〜４４に表示可能となっている。また、伝送装置５１は、切替装置５４を有しており、管理用ＶＤＵ２３のディスプレイ４１〜４４の画像を機能統合ＶＤＵ２１のディスプレイ３１〜３７の画像に切り替え可能となっている。
【００２８】
また、管理用ＶＤＵ２３のディスプレイ４１〜４４に対応して、切替装置５４を操作する操作スイッチ４５〜４８が設けられている。この操作スイッチ４５〜４８は、管理用ＶＤＵ２３を操作するための画面と、機能統合ＶＤＵ２１のディスプレイ３１〜３７の画面とを切り替え可能であると共に、機能統合ＶＤＵ２１の各ディスプレイ３１〜３７に対応した番号（名称）を入力することで、入力した番号に該当するディスプレイ３１〜３７の画面をディスプレイ４１〜４４に表示可能である。
【００２９】
そして、管理用ＶＤＵ２３のディスプレイ４１〜４４に対応して、このディスプレイ４１〜４４に表示した機能統合ＶＤＵ２１におけるディスプレイ３１〜３７の番号（名称）を表示可能なサブディスプレイ（補助表示部）４１ａ〜４４ａが設けられている。一方、機能統合ＶＤＵ２１のディスプレイ３１〜３７に対応して、各ディスプレイ３１〜３７の画面が管理用ＶＤＵ２３のディスプレイ４１〜４４に表示されたときに点灯する表示ランプ３１ａ〜３７ａが設けられている。
【００３０】
このように構成された本実施例の原子力プラントの運転監視装置にて、各運転員は、当直長からの各種の指揮、指示のもとで、確実な監視、操作を行って原子力プラントの安全な運転を確保している。このとき、当直長と各運転員との意思疎通は、口頭による指示、運転員による指差呼称により行われる。
【００３１】
このような原子力プラントの運転監視にて、当直長が、例えば、機能統合ＶＤＵ２１におけるディスプレイ３１の操作状況を、管理用ＶＤＵ２３におけるディスプレイ４１を用いて確認したいとき、当直長は、ディスプレイ４１における操作スイッチ４５により管理用ＶＤＵ２３を操作するための画面から、機能統合ＶＤＵ２１のディスプレイ３１〜３７の画面に切り替える。そして、ディスプレイ３１に対応した番号を入力すると、このディスプレイ３１の画面がディスプレイ４１に表示される。即ち、切替装置５４は、管理用ＶＤＵ２３におけるディスプレイ４１の操作スイッチ４５からの要求信号を受け、伝送装置５１を用いて、機能統合ＶＤＵ２１におけるディスプレイ３１の画像を管理用ＶＤＵ２３におけるディスプレイ４１に伝送して表示させる。従って、当直長は、運転員によるディスプレイ３１による運転監視を視認することができる。
【００３２】
このとき、当直長は、管理用ＶＤＵ２３のディスプレイ４１に表示されている機能統合ＶＤＵ２１におけるディスプレイ３１の番号がサブディスプレイ４１ａに表示される。一方、運転員は、表示ランプ３１ａが点灯することで、当直長が機能統合ＶＤＵ２１のディスプレイ３１を視認していることがわかる。
【００３３】
このように本実施例の原子力プラントの運転監視装置にあっては、運転員により操作可能なディスプレイ３１〜３７を有する第１運転コンソール１２と、当直長により操作可能なディスプレイ４１〜４４を有する運転指令コンソール１４と、第１運転コンソール１２のディスプレイ３１〜３７に表示された画像を運転指令コンソール１４のディスプレイ４１〜４４に表示可能な伝送装置５１と、運転指令コンソール１４のディスプレイ４１〜４４の画像を伝送装置５１により伝送される第１運転コンソール１２のディスプレイ３１〜３７の画像に切り替える切替装置５４を設けている。
【００３４】
従って、当直長は、必要に応じて運転指令コンソール１４のディスプレイ４１〜４４に第１運転コンソール１２のディスプレイ３１〜３７に表示された画像を表示することで、運転員による操作を確認することができ、原子力プラントにおける運転操作における当直長と運転員の意思疎通を改善し、運転監視の高い安全性を確保可能とすることができる。
【００３５】
また、本実施例の原子力プラントの運転監視装置では、運転指令コンソール１４に、切替装置５４を操作する操作スイッチ４５〜４８を設けている。従って、当直長は、操作スイッチ４５〜４８により切替装置５４を操作することで、容易に運転指令コンソール１４のディスプレイ４１〜４４に第１運転コンソール１２のディスプレイ３１〜３７の画像を表示することができる。
【００３６】
また、本実施例の原子力プラントの運転監視装置では、第１運転コンソール１２に複数のディスプレイ３１〜３７を設け、切替装置は５４により、各ディスプレイ３１〜３７の中から選択されたものを運転指令コンソール１４のディスプレイ４１〜４４に表示するようにしている。従って、当直長は、操作スイッチ４５〜４８により切替装置５４を操作することで、第１運転コンソール１２における必要なディスプレイ３１〜３７の画像を運転指令コンソール１４のディスプレイ４１〜４４に容易に表示することができる。
【００３７】
また、本実施例の原子力プラントの運転監視装置では、運転指令コンソール１４に、ディスプレイ４１〜４４に表示した第１運転コンソール１２におけるディスプレイ３１〜３７の番号を表示可能なサブディスプレイ４１ａ〜４４ａを設けている。従って、運転指令コンソール１４におけるサブディスプレイ４１ａ〜４４ａに、現在表示している第１運転コンソール１２におけるディスプレイ３１〜３７の番号を表示することで、視認性を向上することができる。
【００３８】
また、本実施例の原子力プラントの運転監視装置では、第１運転コンソール１２のディスプレイ３１〜３７に、画像が運転指令コンソール１４のディスプレイ４１〜４４に表示されたときに点灯する表示ランプ３１ａ〜３７ａを設けている。従って、運転指令コンソール１４のディスプレイ４１〜４４に第１運転コンソール１２のディスプレイ３１〜３７の画像が表示されたとき、表示されているディスプレイ３１〜３７の表示ランプ３１ａ〜３７ａが点灯することとなり、視認性を向上することができる。
【００３９】
なお、本発明に係る原子力プラントの運転監視装置は、上述の実施例における構成に限定されるものではなく、第１運転コンソール１２、運転指令コンソール１４などの構成や配置、数などは適宜設定してよいものである。
【産業上の利用可能性】
【００４０】
本発明に係る原子力プラントの運転監視装置は、当直長が操作する運転指令コンソールの表示部に、運転員が操作する運転コンソールの表示部の画像を表示可能とすることで、原子力プラントにおける運転操作における当直長と運転員の意思疎通を改善して運転監視の高い安全性を確保可能とするものであり、いずれの原子力プラントにも適用することができる。
【符号の説明】
【００４１】
１１  中央制御室
１２  第１運転コンソール
１３  第２運転コンソール
１４  運転指令コンソール
１５  大型表示盤
２１  機能統合ＶＤＵ（機能統合操作装置）
２２  安全系ＶＤＵ（安全系操作装置）
３１〜３７  ディスプレイ
３１ａ〜３７ａ  表示ランプ
４１〜４４  ディスプレイ
４１ａ〜４４ａ  サブディスプレイ（補助表示部）
４５〜４８  操作スイッチ
５１  伝送装置
５４  切替装置
【図１】
0005631098.tif 000002
【図２】
0005631098.tif 000003
【図３】
0005631098.tif 000004